(57)【要約】【課題】ホッパマンホール等から掻き出して排出した燃焼灰等を直ちに灰移送管に吸引して燃焼灰の飛散をなくし、また燃焼灰等の処理のための作業の省力化を図る。【解決手段】ホッパ（１４）の漏斗部（１４ａ）に詰まった燃焼灰や錆等の蓄積物（Ｇ）を開閉式のホッパマンホール（１６）から外部に掻き出して排出した場合に、これを点検・清掃のために前記灰移送管に予め設けられた開閉式の灰移送管マンホール（２６）に取り付けた吸引ホース（２４）により、灰移送管の負圧を利用して吸引して灰処理装置に移送するように構成した、ことを特徴とする。【選択図】図２
2010091200.tif 000002
【特許請求の範囲】
【請求項１】
集塵機（１２）で捕捉した燃焼灰を蓄積するホッパ（１４）と、該ホッパの漏斗部（１４ａ）に燃焼灰や錆等の蓄積物（Ｇ）が詰まった際にこれを掻き出すための開閉式のホッパマンホール（１６）と、前記ホッパの下端に接続され、かつ、ホッパ内から蓄積物を吸引して灰処理装置（１８）に移送するための灰移送管（２２）と、を備えた灰移送装置（１０）において、
前記ホッパマンホールから外部に排出した蓄積物を、前記灰移送管に接続した吸引ホース（２４）により、灰移送管の負圧を利用して吸引して前記灰処理装置に移送するように構成した、ことを特徴とする燃焼灰等の吸引・収集装置。
【請求項２】
前記吸引ホース（２４）は、点検・清掃のために前記灰移送管に予め設けられた開閉式の灰移送管マンホール（２６）に取り付けられる、ことを特徴とする請求項１に記載の燃焼灰等の吸引・収集装置。
【請求項３】
前記吸引ホース（２４）の一端には鍔状に広がるフランジ金具（３４）が取り付けられており、該フランジ金具には前記灰移送管マンホールの径方向両側から突起する２つのボルト脚（３２ａ）に対応する位置にボルト穴（３２ｂ）が形成されている、ことを特徴とする請求項２に記載の燃焼灰等の吸引・収集装置。
【請求項４】
前記ホッパマンホール（１６）から排出された蓄積物（Ｇ）を受け止めるためのバケット（３６）を更に備え、該バケットの底部又はその近傍には前記吸引ホース（２４）の一端が取り付けられている、ことを特徴とする請求項１乃至３のいずれか一項に記載の燃焼灰等の吸引・収集装置。
【発明の詳細な説明】
【技術分野】
【０００１】
本発明は、発電所等のボイラで発生しホッパに蓄積された燃焼灰やホッパ内面に付着・発生して剥離した錆等の粉状・粒状の蓄積物を、灰移送管を通じて灰処理装置に移送するための灰移送装置において、ホッパの漏斗部などに蓄積物の詰りが生じた際にホッパマンホール等から掻き出されて床面等に堆積した蓄積物を、簡易に収集して処理装置に移送するための吸引・収集装置に関する。
【背景技術】
【０００２】
発電所等の大型施設のボイラ等で発生した燃焼灰は、燃焼排ガスとともに脱硝装置および空気予熱器を経て電気集塵器に導入され、電気集塵器でその大半が捕捉される。電気集塵器の底部には、漏斗形状（逆円錐形状）のホッパが複数個設置されており、捕捉された燃焼灰（ＥＰ灰）はホッパ内に蓄積される。また排ガスはブロワで引かれ煙突から排出される。
【０００３】
各ホッパ内に蓄積した燃焼灰は、灰移送管を通じて真空ポンプで引かれ灰処理装置に送られる（サイロに蓄積されてトラック等で搬出される場合も含む）。より詳細には、灰移送管の一端には大気吸込口が設けられており、この大気吸込口を開き真空ポンプを作動させると、灰移送管内にはサイロに向けた気流が生じるため、ホッパの下端の排出弁を開くとホッパ内の燃焼灰が灰移送管に吸引されて移送されるようになっている。複数のホッパからの燃焼灰の移送は、１基ずつ順次排出弁を開いて燃焼灰を吸引することによって行われる。
【０００４】
ホッパに蓄積した燃焼灰（焼却灰）を粉体の輸送用タンクへ搬出する発明としては、特許文献１の「粉体の搬出システム」など多くのものが発案されている。
【特許文献１】特開２００４−１２３２２８号公報
【発明の開示】
【発明が解決しようとする課題】
【０００５】
ここで排出弁を開くとホッパに蓄積された燃焼灰やホッパ内面に付着・発生して剥離した錆等の蓄積物が一気に灰移送管に落ちるため、灰移送管やホッパの漏斗部に詰まりが生じることが多い。そのため従来から灰移送管等の詰まりを防止するために、排出弁を開く前にはホッパの漏斗部に形成した開閉式のホッパマンホールから予め一定量の燃焼灰等を掻き出してフロア上に排出していた。また灰移送管に詰まりが生じた場合には、ホッパとの接続個所の灰移送管に形成した開閉式の灰移送管マンホールから燃焼灰等を掻き出してフロア上に排出していた。
【０００６】
ここでフロア上に排出した燃焼灰等は、人力によりスコップでこれをすくいドラム缶に集めて搬出していたが、かかる作業には非常に多くの労力を要するといった問題があった。またフロアに排出された燃焼灰等は、風等の影響により飛散し、作業環境や作業員の健康に影響を及ぼす虞があった。
【０００７】
本発明は上記問題を解決するために創案されたものであり、灰移送管が負圧となっていることに着目し、ホッパマンホール等から掻き出して排出した燃焼灰等を直ちに灰移送管に吸引して燃焼灰の飛散をなくし、また燃焼灰等の処理のための作業の省力化を図ることが可能な燃焼灰等の吸引・収集装置を提供することを目的とする。
【課題を解決するための手段】
【０００８】
上記目的を達成するための本発明の燃焼灰等の吸引・収集装置は、集塵機（１２）で捕捉した燃焼灰を蓄積するホッパ（１４）と、該ホッパの漏斗部（１４ａ）に燃焼灰や錆等の蓄積物（Ｇ）が詰まった際にこれを掻き出すための開閉式のホッパマンホール（１６）と、前記ホッパの下端に接続され、かつ、ホッパ内から蓄積物を吸引して灰処理装置（１８）に移送するための灰移送管（２２）と、を備えた灰移送装置（１０）において、前記ホッパマンホールから外部に排出した蓄積物を、前記灰移送管に接続した吸引ホース（２４）により、灰移送管の負圧を利用して吸引して前記灰処理装置に移送するように構成した、ことを特徴とする。
【０００９】
ここで、前記吸引ホース（２４）は、点検・清掃のために前記灰移送管に予め設けられた開閉式の灰移送管マンホール（２６）に取り付けられる、ことが好ましい。
例えば前記吸引ホース（２４）の一端には鍔状に広がるフランジ金具（３４）が取り付けられており、該フランジ金具には前記灰移送管マンホールの径方向両側から突起する２つのボルト脚（３２ａ）に対応する位置にボルト穴（３２ｂ）が形成されている、ように構成することでその取り付けが行われる。
【００１０】
また、前記ホッパマンホール（１６）から排出された蓄積物（Ｇ）を受け止めるためのバケット（３６）を更に備え、該バケットの底部又はその近傍には前記吸引ホース（２４）の一端が取り付けられている、ことも好ましい。
【発明の効果】
【００１１】
本発明では灰移送管の負圧を利用し、灰移送管に接続した吸引ホースによってホッパマンホール等から排出した燃焼灰等を直ちに吸引して灰処理装置に移送することで、燃焼灰等の飛散をなくし、また排出した燃焼灰等の処理のための作業の省力化を図ることできる。
【００１２】
ここで灰移送管への吸引ホースの取り付けを、灰移送管に予め設けられている灰移送管マンホールおよびボルト脚を利用し、ここに吸引ホースの一端に設けたフランジ金具を固定することで簡易かつ確実にその取り付けを行うことができ、また、接合部からの空気漏れもほとんどなくすことができる。
【００１３】
さらにホッパマンホールや灰移送管マンホールから排出した燃焼灰等をその下方で受け止めるバケットを備え、このバケットの底部に吸引ホースを取り付けてやることで、燃焼灰等のフロアへの落下や風等の影響による飛散をなくし、またフロアを汚さないようにすることで、より一層作業環境を改善し、作業員の健康に資することができる。
【発明を実施するための最良の形態】
【００１４】
本発明の燃焼灰等の吸引・収集装置は、火力発電所等のホッパに蓄積された燃焼灰等を灰移送管を通じて灰処理装置に移送する既存の装置に簡易に取り付けることができる簡易な構造の燃焼灰等の吸引・収集装置を提供するものである。
以下、まずホッパおよび灰移送管の構造について簡単に説明した後に本発明の燃焼灰等の吸引・収集装置について説明する。図１は火力発電所に備えられたホッパおよび灰移送管等からなる灰移送装置を説明するための概略図である。
【００１５】
ボイラの煙道に配置された電気集塵機１２で捕捉した燃焼灰（ＥＰ灰等）を蓄積するホッパ１４は、上端側が広く下端側が狭くなるように形成された漏斗形状をしており、その上部からホッパ内に粉末状の燃焼灰が投入されるようになっている。ホッパ１４の下端近傍には、蓄積した燃焼灰やホッパ内面に付着・発生して剥離した錆等の蓄積物（燃焼灰等）Ｇの、後述する灰移送管２２への吸引を許容するための排出弁４１が設けられている。この排出弁４１直上のホッパ１４の漏斗部１４ａには、蝶番構造により開閉する開閉蓋４３が取り付けられた内径３０ｃｍ程度のホッパマンホール１６が形成されている。
なおこのホッパ１４は、電気集塵機１２の下部に複数個（例えば１６個）複数列に並べられ配置されている。
【００１６】
灰移送管２２は、列をなして配置された複数のホッパ１４の下端を連結する水平方向に伸長する内径３０ｃｍ程度の配管であり、その一端は吸気弁４５が設けられた大気吸入口４７となっている。また灰移送管２２の他端は灰処理装置１８に接続されおり、ホッパ１４と灰処理装置１８とをつなぐ灰移送管の経路には、ホッパ内から燃焼灰等Ｇを吸引するための真空ポンプ４９が設けられている。すなわち真空ポンプ４９が作動すると灰移送管２２には負圧が生じ、大気吸入口４７からの空気の流入によって、ホッパ１４内からは燃焼灰等Ｇが吸引される。吸引された燃焼灰等Ｇは、灰移送管２２内を通って灰処理装置１８に移送されるようになっている。
なおホッパ１４との接続個所部分の灰移送管２２には、その点検や清掃を行うため着脱自在な着脱蓋５１が取り付けられた内径１５ｃｍ程度の灰移送管マンホール２６が形成されている。この着脱蓋５１の固定は、灰移送管マンホール２６の径方向両側から突起するように設けた２つのボルト脚３２ａおよびナット３３と、ボルト脚３２ａを貫通させる切り欠きが両端部に形成された板棒状の押え板５３を用い、灰移送管マンホールに勘合した着脱蓋を、２つのボルト脚間を架け渡すように配置した押え板によって押えてナットを締め付けることによって行われる。
【実施例１】
【００１７】
図２に実施例１の燃焼灰等の吸引・収集装置を取り付けたホッパおよび灰移送管の概略図を示した。
この燃焼灰等の吸引・収集装置１００は、上述した灰移送装置１０のホッパ１４の漏斗部１４ａなどに蓄積物Ｇの詰りが生じた際に、ホッパマンホール１６等から掻き出されて床面等に堆積した蓄積物を、簡易に収集して処理装置に移送するものであり、灰移送管マンホール２６に接続した吸引ホース２４によって構成されている。
【００１８】
図３に拡大して示したように、この吸引ホース２４は螺旋状に巻かれたワイヤを芯とする柔軟性に富んだ内径が１５ｃｍ程度で長さが５ｍ程度の樹脂製のフレキシブル管であり、その一端には鍔状に広がるフランジ金具３４が取り付けられている。この吸引ホース２４はフランジ金具３４によって、点検・清掃のためにホッパ１４との接続部の灰移送管２２（破線）に予め形成されている灰移送管マンホール２６（破線）に接続・固定される。そのためフランジ金具３４には、灰移送管マンホール２６の径方向両側から突起する２つのボルト脚３２ａに対応する位置に、ボルト穴３２ｂが切り欠き状に形成された突起板３５が５ｃｍ程度延出するようにロウ付けによって取り付けられている。
【００１９】
灰移送管マンホール２６への吸引ホース２４の取り付けは、押え板５３を外すことで灰移送管マンホール２６から着脱蓋５１を取り外し、ここにまず吸引ホース２４のフランジ金具３４を嵌合させる。このときフランジ金具３４の突起板３５のボルト穴３２ｂが、灰移送管２２から突起するボルト脚３２ａを貫通するようにしてやる。そして、ナット３３をボルト脚３２ａに締め付けることによって、吸引ホース２４が空気漏れがない状態で灰移送管マンホール２６に接続・固定される。
灰移送管２２には真空ポンプ４９によって負圧が生じているため、灰移送管マンホール２６に接続・固定した吸引ホース２４にも吸引力が生じることとなる。この吸引力は灰移送管２２端部の大気吸入口４７の吸気弁４５の開度を調節することによってその強弱を調整することができる。
【００２０】
本実施例の燃焼灰等の吸引・収集装置１００によれば、ホッパ１４に蓄積された燃焼灰やホッパ内面に付着・発生して剥離した錆等の蓄積物Ｇがホッパの漏斗部１４ａに詰まり、これをホッパマンホール１６等からフロア上に排出した場合にも、これを他のホッパと灰移送管２２との接続部の灰移送管マンホール２６に接続した吸引ホース２４の吸引力によって直ちに吸引することができる。これにより、これまでフロア上の燃焼灰等を人力によってドラム缶に集めて搬出していた燃焼灰等の処理のための作業を省力化することができるとともに、燃焼灰等が風等の影響による飛散を抑制し、作業環境の改善に資することができる。なお吸引した燃焼灰等は、灰移送管２２から灰処理装置１８に移送されて処理される。
【実施例２】
【００２１】
図４に実施例２の燃焼灰等の吸引・収集装置を取り付けたホッパおよび灰移送管の概略図を示した。この吸引・収集装置１００は実施例１の装置に、ホッパマンホール１６から排出された蓄積物Ｇを受け止めるためのバケット３６を付加したものである。そのためバケット３６と関連する以外の構成については実施例１と同様の符号を付することで重複した説明を省略する。
【００２２】
このバケット３６は上部を開口したドラム缶などを利用した容器であって、その底部近傍の側面には、例えばボルト・ナットによって吸引ホース２４の一端（先端）が取り付けられている。このバケット３６は移動の便宜のために台車に載せられた状態で使用され、複数並んだホッパ１４のホッパマンホール１６の下方に適宜設置されて使用される。
【００２３】
本実施例の燃焼灰等の吸引・収集装置１００では、ホッパマンホール１６や灰移送管マンホール２６から排出した燃焼灰等をその下方に設置したバケット３６で受け止めることにより、燃焼灰等のフロアへの落下や風等の影響による飛散をなくし、フロアを汚さないようにすることでより一層作業環境を改善し、作業員の健康に資することができる。
【００２４】
以上本発明の燃焼灰等の吸引・収集装置の好ましい実施例について説明したが、本発明の燃焼灰等の吸引・収集装置はかかる構成に限られず、ホッパマンホール等から掻き出した燃焼灰等を直ちに吸引して灰処理装置に移送して処理するものであれば本発明の趣旨を逸脱しない範囲で適宜変更して用いることができることは勿論である。たとえば灰移送管マンホールへの吸引ホースの取り付けは上述した例に限られず、種々の構造を採用することができる。
【００２５】
以上に説明した本発明の燃焼灰等の吸引・収集装置では、灰移送管の負圧を利用し、これに吸引ホースを取り付けることで、ホッパマンホール等から掻き出して外部に排出した燃焼灰等を、多くの労力を要することなく直ちに吸引して灰処理装置に移送することができる。また吸引ホースの吸引力は大気吸入口の弁の開度を調節することで強弱の調整が可能であるため便宜である。
なおこの装置は既設の灰移送管マンホールを利用し、またボルト脚を利用してその取り付けを行うことができるため、ホッパや灰移送管に改変を加える必要がなく、簡易かつ低コストで導入することができるといった特徴もある。
【図面の簡単な説明】
【００２６】
【図１】火力発電所に備えられたホッパおよび灰移送管等からなる灰移送装置を説明するための概略図である。
【図２】実施例１の燃焼灰等の吸引・収集装置を取り付けたホッパおよび灰移送管の概略図である。
【図３】吸引ホースのフランジ金具部分の拡大斜視図である。
【図４】実施例２の燃焼灰等の吸引・収集装置を取り付けたホッパおよび灰移送管の概略図である。
【符号の説明】
【００２７】
１０  灰移送装置
１２  集塵機
１４  ホッパ
１４ａ  漏斗部
１６  ホッパマンホール
１８  灰処理装置
２２  灰移送管
２４  吸引ホース
２６  灰移送管マンホール
３２ａ  ボルト脚
３２ｂ  ボルト穴
３３  ナット
３４  フランジ金具
３５  突起板
３６  バケット
４１  排出弁
４３  開閉蓋
４５  吸気弁
４７  大気吸入口
４９  真空ポンプ
５１  着脱蓋
Ｇ  蓄積物
【図１】
2010091200.tif 000003
【図２】
2010091200.tif 000004
【図３】
2010091200.tif 000005
【図４】
2010091200.tif 000006